(57)【要約】      （修正有）【課題】画像記録装置において、駆動源からの駆動力をスイッチバック搬送ローラ及びガイド部材の双方に確実に伝達する簡素な伝達機構を実現する。【解決手段】給紙カセット７８は、メイントレイ２０と、スライドガイド３４と、排紙保持部７９とを有する。スライドガイド３４は、メイントレイ２０上でスライド可能に支持されている。給紙カセット７８にはラック−ピニオン機構が設けられており、第３搬送ローラ４５とラック−ピニオン機構との間にギヤ連結機構が設けられている。第３搬送ローラの駆動力は、ギヤ連結機構、ラック−ピニオン機構を順次経てスライドガイド３４に伝達される。【選択図】図３
2010208786.tif 000002
【特許請求の範囲】
【請求項１】
シート状の被記録媒体を収容する第１トレイと、
被記録媒体に対して画像を記録する記録部と、
上記第１トレイに収容された被記録媒体に当接して上記第１トレイから上記記録部へ向けて被記録媒体を給送する給送ローラと、
駆動源から出力される正逆回転方向の駆動力を受けることによって上記記録部を通過した被記録媒体をスイッチバック搬送するスイッチバック搬送ローラと、
上記スイッチバック搬送ローラによってスイッチバック搬送された被記録媒体を上記記録部へ案内可能な経路を形成する第１姿勢と、上記第１姿勢から所定向きへ退避して上記経路を形成しない第２姿勢との間でスライド可能なガイド部材と、
上記スイッチバック搬送ローラによる回転動作に同期して駆動され、上記駆動源から出力される正逆回転方向の駆動力を直線方向の力に変換して上記ガイド部材に伝達する伝達手段と、を具備する画像記録装置。
【請求項２】
上記伝達手段は、互いに直結された複数のギヤで構成されている請求項１に記載の画像記録装置。
【請求項３】
上記記録部は、上記第１トレイの上方に設けられており、
上記ガイド部材は、上記第１トレイと上記記録部との間に設けられている請求項１又は２に記載の画像記録装置。
【請求項４】
上記スイッチバック搬送ローラは、上記駆動源の正回転方向の駆動力を受けることによって被記録媒体を外部へ向けて搬送し、上記駆動源の逆回転方向の駆動力を受けることによって被記録媒体を上記ガイド部材側へ搬送するものであり、
上記伝達手段は、上記正回転方向の駆動力を受けて上記第２姿勢側へスライドさせる駆動力を上記ガイド部材に伝達し、上記逆回転方向の駆動力を受けて上記第１姿勢側へスライドさせる駆動力を上記ガイド部材に伝達するものである請求項１から３のいずれかに記載の画像記録装置。
【請求項５】
上記伝達手段は、
上記ガイド部材に形成され当該ガイド部材において被記録媒体が案内される方向に延びる第１ラック及び第２ラック、上記第１ラックに噛合可能に設けられた第１ピニオンギヤ、上記第２ラックに噛合可能に設けられた第２ピニオンギヤを有するラック−ピニオン機構と、
上記駆動源から出力される正逆回転方向の駆動力が伝達される太陽ギヤ、上記太陽ギヤの支軸に回動可能に支持された遊星キャリア、上記太陽ギヤと噛合しつつ上記遊星キャリアに軸支され、上記正回転方向の駆動力が上記太陽ギヤに伝達されたときに上記第１ピニオンギヤと噛合して上記ガイド部材を上記第２姿勢へ向けてスライドさせる第１遊星ギヤ、上記太陽ギヤと噛合しつつ上記遊星キャリアに軸支され、上記逆回転方向の駆動力が上記太陽ギヤに伝達されたときに上記第２ピニオンギヤと噛合して上記ガイド部材を上記第１姿勢へ向けてスライドさせる第２遊星ギヤとを有する遊星ギヤ機構と、
上記ガイド部材が上記第２姿勢に配置されたときに上記第１ピニオンギヤから上記第１ラックへの駆動力の伝達を切断し、上記ガイド部材が上記第１姿勢に配置されたときに上記第２ピニオンギヤから上記第２ラックへの駆動力の伝達を切断する駆動力切断機構と、を備える請求項１から４のいずれかに記載の画像記録装置。
【請求項６】
上記駆動力切断機構は、
上記第２姿勢に対応する上記第１ラックの延出方向の一方端に設けられ、上記第１ピニオンギヤと噛合不能な第１非噛合部と、
上記第１姿勢に対応する上記第２ラックの延出方向の他方端に設けられ、上記第２ピニオンギヤと噛合不能な第２非噛合部とを有する請求項５に記載の画像記録装置。
【請求項７】
上記第１非噛合部及び上記第２非噛合部は、上記ガイド部材に形成された凹部である請求項６に記載の画像記録装置。
【請求項８】
上記第１トレイの上方に設けられ、基端側が回動可能に支持され、先端側に上記給送ローラが回転可能に支持され、上記給送ローラが上記第１トレイに収容された被記録媒体に当接して上記第１トレイから被記録媒体を給送可能な第３姿勢と、上記給送ローラが上記第１トレイから上方へ退避した第４姿勢との間で姿勢変化可能なアームを更に備え、
上記給送ローラは、上記アームが上記第４姿勢に維持された状態で、上記ガイド部材によって案内された被記録媒体に当接して、該被記録媒体を搬送するものである請求項１から７のいずれかに記載の画像記録装置。
【請求項９】
上記アームは、上記第２姿勢から上記第１姿勢へ向けてスライドされた上記ガイド部材に当接されることによって、上記第３姿勢から上記第４姿勢へ姿勢変化するものである請求項８に記載の画像記録装置。
【発明の詳細な説明】
【技術分野】
【０００１】
本発明は、トレイから給送された被記録媒体に対して画像を記録する記録部を備えた画像記録装置に関し、特に、片面に画像が記録された被記録媒体を上記記録部と上記トレイとの間を通って上記記録部へ戻す機構を備えた画像記録装置に関する。
【背景技術】
【０００２】
従来、被記録媒体の両面に画像を記録することが可能な画像記録装置が公知である。例えば、特許文献１には、インクジェット記録方式の画像記録装置が開示されている。特許文献１に記載の画像記録装置では、トレイから送り出された被記録媒体は湾曲状の搬送路（以下「湾曲路」という。）を通って記録部へ搬送されて、記録部において表面（第１面）に画像が記録される。記録部から排出された被記録媒体は、記録部よりも搬送方向下流側で経路切換部（４１）によってスイッチバックされた後に、記録部の下方に設けられたガイド部材の上面によって案内されつつ再び上記湾曲路へ搬送される。そして、被記録媒体は、この湾曲路を通って裏面（第２面）を記録部に対向させるようにして搬送され、当該記録部においてその裏面に画像が記録される。
【先行技術文献】
【特許文献】
【０００３】
【特許文献１】特開２００８−２４７５３７号公報
【発明の概要】
【発明が解決しようとする課題】
【０００４】
ところで、特許文献１に記載の画像記録装置では、経路切換部（４１）の動作に連動してガイド部材（５６）が一方向へ移動する連動機構が採用されている。この連動機構は、モータなどの駆動源からローラ（４５）に駆動力を伝達するとともに、連結軸（７９）や連結アーム（７７）を介してガイド部材（５６）に駆動力を伝達している。そのため、特許文献１に記載の画像記録装置では、ローラ（４５）及びガイド部材（５６）のいずれかと選択的に連結して、上記駆動源からの駆動力を伝達する複雑な連結機構が必要である。
【０００５】
そこで、本発明は上記問題に鑑みてなされたものであり、その目的は、上記複雑な連結機構を用いることなく、駆動源からの駆動力をスイッチバック搬送ローラ及びガイド部材の双方に確実に伝達する簡素な伝達機構を実現することにある。
【課題を解決するための手段】
【０００６】
(1)  本発明は、第１トレイと、記録部と、給送ローラと、スイッチバック搬送ローラと、ガイド部材と、伝達手段と、を具備する画像記録装置として構成されている。第１トレイにシート状の被記録媒体が収容される。記録部は、被記録媒体に対して画像を記録する。給送ローラは、上記第１トレイに収容された被記録媒体に当接して上記第１トレイから上記記録部へ向けて被記録媒体を給送する。スイッチバック搬送ローラは、駆動源から出力される正逆回転方向の駆動力を受けることによって上記記録部を通過した被記録媒体をスイッチバック搬送する。ガイド部材は、上記スイッチバック搬送ローラによってスイッチバック搬送された被記録媒体を上記記録部へ案内可能な経路を形成する第１姿勢と、上記第１姿勢から所定向きへ退避して上記経路を形成しない第２姿勢との間でスライド可能に構成されている。伝達手段は、上記スイッチバック搬送ローラによる回転動作に同期して駆動され、上記駆動源から出力される正逆回転方向の駆動力を直線方向の力に変換して上記ガイド部材に伝達する。
【０００７】
給送ローラによって第１トレイから給送された被記録媒体は、記録部に到達すると、記録部によって画像が記録される。被記録媒体の両面に画像が記録される場合は、記録部を通過した被記録媒体は、スイッチバック搬送ローラによってスイッチバックされた後に、ガイド部材へ向けて搬送される。上記スイッチバック搬送ローラによって搬送された被記録媒体は、第１姿勢に配置されたガイド部材によって上記記録部へ向けて案内される。本発明の画像記録装置においては、ガイド部材は、上記スイッチバック搬送ローラによる回転動作に同期して駆動する伝達手段から直線方向の力を受けてスライド移動する。
【０００８】
このように本発明の画像記録装置が構成されているため、スイッチバック搬送ローラの正逆回転方向の駆動に同期してガイド部材が正回転方向又は逆回転方向に応じた向きへ移動する。このため、ガイド部材をスライドさせるための独立した駆動系や、ガイド部材のスライド方向をコントロールする制御系を設けることを要しないため、ガイド部材のスライド機構が簡素化する。
【０００９】
(2)  上記伝達手段は、互いに直結された複数のギヤで構成されていることが好ましい。
【００１０】
従来技術においては、ガイド部材に至る伝達機構を構成する複数の伝達部材として、ギヤのみならず、リンクバーなどを用いたリンク伝達機構も採用されている。したがって、大きな伝達ロスが生じるため、ガイド部材に駆動力が即座に伝達されず、ガイド部材が即座に応答しないおそれがあった。本発明は、上述の如く、直結されたギヤ群のみによって駆動力が伝達されるので、従来の伝達機構と比べて伝達ロスが低減し、ガイド部材の応答性が向上する。また、伝達手段によって、ガイド部材のスライド動作とスイッチバック搬送ローラの正逆回転方向の駆動とが殆どロスなく同期する。
【００１１】
(3)  上記記録部は、上記第１トレイの上方に設けられている。この場合、上記ガイド部材は、上記第１トレイと上記記録部との間に設けられている。
【００１２】
(4)  上記スイッチバック搬送ローラは、上記駆動源の正回転方向の駆動力を受けることによって被記録媒体を外部へ向けて搬送し、上記駆動源の逆回転方向の駆動力を受けることによって被記録媒体を上記ガイド部材側へ搬送するものである。また、上記伝達手段は、上記正回転方向の駆動力を受けて上記第２姿勢側へスライドさせる駆動力を上記ガイド部材に伝達し、上記逆回転方向の駆動力を受けて上記第１姿勢側へスライドさせる駆動力を上記ガイド部材に伝達するものである。
【００１３】
これにより、スイッチバック搬送ローラがガイド部材側へ被記録媒体を搬送すると、ガイド部材が第１姿勢側へ移動する。
【００１４】
(5)  上記伝達手段は、ラック−ピニオン機構と、遊星ギヤ機構と、駆動力切断機構と、を備える。ラック−ピニオン機構は、上記ガイド部材に形成され当該ガイド部材において被記録媒体が案内される方向に延びる第１ラック及び第２ラック、上記第１ラックに噛合可能に設けられた第１ピニオンギヤ、上記第２ラックに噛合可能に設けられた第２ピニオンギヤを有する。遊星ギヤ機構は、上記駆動源から出力される正逆回転方向の駆動力が伝達される太陽ギヤ、上記太陽ギヤの支軸に回動可能に支持された遊星キャリア、上記太陽ギヤと噛合しつつ上記遊星キャリアに軸支され、上記正回転方向の駆動力が上記太陽ギヤに伝達されたときに上記第１ピニオンギヤと噛合して上記ガイド部材を上記第２姿勢へ向けてスライドさせる第１遊星ギヤ、上記太陽ギヤと噛合しつつ上記遊星キャリアに軸支され、上記逆回転方向の駆動力が上記太陽ギヤに伝達されたときに上記第２ピニオンギヤと噛合して上記ガイド部材を上記第１姿勢へ向けてスライドさせる第２遊星ギヤとを有する。駆動力切断機構は、上記ガイド部材が上記第２姿勢に配置されたときに上記第１ピニオンギヤから上記第１ラックへの駆動力の伝達を切断し、上記ガイド部材が上記第１姿勢に配置されたときに上記第２ピニオンギヤから上記第２ラックへの駆動力の伝達を切断する。
【００１５】
これにより、伝達手段が具体的に実現される。また、ガイド部材が第１姿勢或いは第２姿勢に配置されたときに、ガイド部材への駆動力の伝達が切断される。これにより、駆動源は、負荷を受けることなく、継続して同方向へ回転駆動することが可能となる。また、駆動源や伝達手段に無駄な負荷がかからなくなる。
【００１６】
(6)  上記駆動力切断機構は、上記第２姿勢に対応する上記第１ラックの延出方向の一方端に設けられ、上記第１ピニオンギヤと噛合不能な第１非噛合部と、上記第１姿勢に対応する上記第２ラックの延出方向の他方端に設けられ、上記第２ピニオンギヤと噛合不能な第２非噛合部とを有することが考えられる。
【００１７】
これにより、駆動力切断機構が簡単に実現される。  
【００１８】
(7)  上記第１非噛合部及び上記第２非噛合部は、上記ガイド部材に形成された凹部であることが好ましい。
【００１９】
(8)  本発明の画像記録装置は、上記第１トレイの上方に設けられ、基端側が回動可能に支持され、先端側に上記給送ローラが回転可能に支持され、上記給送ローラが上記第１トレイに収容された被記録媒体に当接して上記第１トレイから被記録媒体を給送可能な第３姿勢と、上記給送ローラが上記第１トレイから上方へ退避した第４姿勢との間で姿勢変化可能なアームを更に備える。この場合、上記給送ローラは、上記アームが上記第４姿勢に維持された状態で、上記ガイド部材によって案内された被記録媒体に当接して、該被記録媒体を搬送するものであることが好ましい。
【００２０】
(9)  また、上記アームは、上記第２姿勢から上記第１姿勢へ向けてスライドされた上記ガイド部材に当接されることによって、上記第３姿勢から上記第４姿勢へ姿勢変化するものであることが好ましい。
【発明の効果】
【００２１】
本発明の画像記録装置によれば、駆動源からの駆動力をスイッチバック搬送ローラ及びガイド部材の双方に確実に伝達する簡素な伝達機構を実現することが可能となる。  
【図面の簡単な説明】
【００２２】
【図１】図１は、本発明の第１実施形態に係る複合機１０の外観を示す斜視図である。
【図２】図２は、プリンタ部１１の断面構造を模式的に示す模式断面図である。
【図３】図３は、プリンタ部１１の断面構造を示す断面図であり、（Ａ）はスライドガイド３４が退避位置に配置された状態が示されており、（Ｂ）はスライドガイド３４が案内位置に配置された状態が示されている。
【図４】図４は、図２における排紙路６５Ｂ付近の構成を模式的に示す部分拡大図である。
【図５】図５は、給紙カセット７８が給紙可能な位置に配置された状態を示す斜視図である。
【図６】図６は、給紙カセット７８の外観を示す斜視図である。
【図７】図７は、スライドガイド３４の外観を示す斜視図である。
【図８】図８は、スライドガイド３４が退避位置に配置されたときの給紙カセット７８の平面図である。
【図９】図９は、スライドガイド３４が案内位置に配置されたときの給紙カセット７８の平面図である。
【図１０】図１０は、図８における要部Xの部分拡大図であり、ギヤ連結機構１１１の構成が詳細に示されている。
【図１１】図１１は、図９における要部XIの部分拡大図であり、ギヤ連結機構１１１の構成が詳細に示されている。
【図１２】図１２は、図１０における各切断線の断面図であり、（Ａ）は切断線XIIA−XIIAの断面図、（Ｂ）は切断線XIIB−XIIBの断面図である。
【図１３】図１３は、図１１における各切断線の断面図であり、（Ａ）は切断線XIIIA−XIIIAの断面図、（Ｂ）は切断線XIIIB−XIIIBの断面図である。
【図１４】図１４は、両面画像記録時における記録用紙Ｓの搬送状態を時系列順に示す模式断面図である。
【図１５】図１５は、両面画像記録時における記録用紙Ｓの搬送状態を時系列順に示す模式断面図である。
【図１６】図１６は、両面画像記録時における記録用紙Ｓの搬送状態を時系列順に示す模式断面図である。
【図１７】図１７は、スライドガイド３４と第１ピニオンギヤ１４１及び第２ピニオンギヤ１４２との位置関係を示す部分斜視図である。
【図１８】図１８は、第２実施形態に係る給紙カセット１６０の斜視図である。
【図１９】図１９は、給紙カセット１６０の縦断面図である。
【図２０】図２０は、スライドガイド３４の移動過程を時系列順に示す模式断面図である。
【発明を実施するための形態】
【００２３】
以下、適宜図面を参照して、本発明の好ましい実施形態について説明する。なお、以下に説明される各実施形態は本発明の一例にすぎず、本発明の要旨を変更しない範囲で、本発明の実施形態を適宜変更できることは言うまでもない。
【００２４】
〈第１実施形態〉
図１は、本発明の第１実施形態の一例である複合機１０の外観斜視図である。なお、以下の説明においては、複合機１０が使用可能に設置された状態（図１の状態）を基準として上下方向７を定義し、操作パネル４０が設けられている側を手前側（正面）として前後方向８を定義し、複合機１０を手前側（正面）から見て左右方向９を定義する。
【００２５】
［複合機１０の概略］
複合機１０は、高さ（上下方向７の長さ）に対して横幅（左右方向９の長さ）及び奥行き（前後方向８の長さ）が大きい薄型の直方体に概ね形成されている。複合機１０は、主に、下部に設けられたインクジェット記録方式のプリンタ部１１と、上部に設けられたスキャナ部１２と、正面上部に設けられた操作パネル４０とを一体的に備えた多機能装置である。複合機１０は、ファクシミリ機能、プリンタ機能、スキャナ機能、及び、コピー機能などの各種の機能を有している。プリンタ機能としては、記録用紙の表面（第１面）及び裏面（第２面）の両面に画像を記録する両面画像記録機能を有している。なお、プリンタ機能以外の機能は任意であり、例えば、スキャン機能やコピー機能、ファクシミリ機能を有しないプリンタ機能のみを有するプリンタとして本発明の画像記録装置が実施されてもよい。
【００２６】
プリンタ部１１は、正面に開口１３が形成されており、この開口１３からプリンタ部１１の内部に給紙カセット７８が装着されている。この給紙カセット７８は、開口１３からプリンタ部１１内に前後方向８に挿抜可能に構成されている。給紙カセット７８は、各種サイズの記録用紙（本発明のシート状の被記録媒体の一例）を収容可能なメイントレイ２０（本発明の第１トレイの一例）と、その上方で前後方向８へスライド可能なスライドガイド３４（本発明のガイド部材の一例）とを有する。なお、給紙カセット７８の前方側の上側に、排出された画像記録済みの記録用紙が保持される排紙保持部７９が設けられている。
【００２７】
［プリンタ部１１の構成］
次に、図２から図４を参照しながら、プリンタ部１１の構成について説明する。図２は、プリンタ部１１の断面構造を模式的に示す模式断面図である。図３は、プリンタ部１１の断面構造を示す断面図であり、（Ａ）はスライドガイド３４が退避位置に配置された状態が示されており、（Ｂ）はスライドガイド３４が案内位置に配置された状態が示されている。図４は、図２における排紙路６５Ｂ付近の構成を模式的に示す部分拡大図である。なお、図３では、記録部２４や経路切換部４１等の図示が省略されている。
【００２８】
プリンタ部１１は、上述した給紙カセット７８に加えて、給紙カセット７８から記録用紙をピックアップして給紙（給送）する給送部１５と、給送部１５によって給紙された記録用紙にインク滴を吐出して記録用紙に画像を形成するインクジェット記録方式の記録部２４（本発明の記録部の一例）と、裏面（第２面）に画像を記録するために表面（第１面）に画像が記録された記録用紙の搬送経路を切り換える経路切換部４１と、給紙カセット７８のスライドガイド３４に駆動力を伝達する駆動力伝達機構１１０（本発明の伝達手段の一例）と、を備えている。なお、記録部２４は、インクジェット方式に限られず、電子写真方式、或いは感熱記録方式など、種々の記録方式のものが適用可能である。
【００２９】
［搬送路６５］
図２に示されるように、プリンタ部１１の内部には、メイントレイ２０の先端（後方側の端部）から記録部２４を経て排紙保持部７９に至る搬送路６５が形成されている。搬送路６５は、メイントレイ２０の先端から記録部２４に至る間に形成された湾曲路６５Ａと、記録部２４から排紙保持部７９に至る間に形成された排紙路６５Ｂとに区分される。
【００３０】
湾曲路６５Ａは、メイントレイ２０に設けられた分離傾斜板２２の上端付近から記録部２４に渡って延設された湾曲状の通路である。この湾曲路６５Ａは、所定間隔を隔てて互いに対向する外側ガイド部材１８及び内側ガイド部材１９によって区画されている。外側ガイド部材１８は、プリンタ部１１の内部側を中心とする円弧形状に概ね形成されたガイド面１８Ａを有しており、内側ガイド部材１９は、プリンタ部１１の内部側を中心とする円弧形状に概ね形成されたガイド面１９Ａを有している。これらのガイド面１８Ａ，１９Ａによって挟まれた空間が湾曲路６５Ａである。なお、外側ガイド部材１８及び内側ガイド部材１９、更に、後述する上側ガイド部材８２、下側ガイド部材８３、上側傾斜ガイド部材３２、下側傾斜ガイド部材３３は、いずれも、図２の紙面垂直方向（図１の左右方向９）へ延びている。
【００３１】
排紙路６５Ｂは、記録部２４よりも搬送方向の下流側（以下、単に「下流側」と略称する。）に設けられた下側ガイド部材８２と上側ガイド部材８３とによって区画されている。ここで、搬送方向とは、記録用紙が搬送路６５及び後述する反転搬送路６７を搬送される向き（図２において矢印付きの二点鎖線で示される向き）を指す。
【００３２】
図４に示されるように、下側ガイド部材８２は、後述する第２搬送ローラ６２及び拍車ローラ６３のニップ位置から前方側（図４の紙面右側）へ水平に延出されている。排紙路６５Ｂは、第２搬送ローラ６２によって搬送された画像記録済の記録用紙の下面を支持しつつ、下流側へ案内する。下側ガイド部材８２の下流側端部よりも下流側に分岐口３６が形成されている。両面画像記録の際は、排紙路６５Ｂを搬送された記録用紙は、分岐口３６の下流側でスイッチバックされた後に、分岐口３６から下方へ向けて搬送される。
【００３３】
下側ガイド部材８２には、前後方向８に長い細幅の凹部８５が形成されている。この凹部８５は、下側ガイド部材８２の下流側端部に形成されている。凹部８５は、前後方向８に長い細幅形状に形成されおり、その下流側は分岐口３６に開放されている。凹部８５のサイズ及び位置は、後述する補助ローラ４７が凹部８５の内部に没入可能に設計されている。
【００３４】
上側ガイド部材８３は、下側ガイド部材８２よりも上方に配置されている。上側ガイド部材８３と下側ガイド部材８２とは、記録用紙が通過可能な所定間隔を隔てて互いに対向するように配置されている。上側ガイド部材８３は、分岐口３６を超えて、排紙保持部７９の上方まで延出されている。
【００３５】
［反転搬送路６７］
図２に示されるように、プリンタ部１１の内部には、反転搬送路６７が形成されている。反転搬送路６７は、分岐口３６で排紙路６５Ｂから分岐され、給紙カセット７８とその上方に配置された記録部２４との間を通って、記録部２４よりも搬送方向の上流側（以下、単に「上流側」と略称する。）の合流部３７に接続されている。なお、合流部３７は、湾曲路６５Ａの始端（上流側の端部）と反転搬送路６７の終端（下流側の端部）とが合流する部分である。
【００３６】
反転搬送路６７は、傾斜路６７Ａと直線路６７Ｂとに区分される。傾斜路６７Ａは、分岐口３６から後方斜め下向きに傾斜する傾斜面を有する上側傾斜ガイド部材３２と下側傾斜ガイド部材３３とによって区画されている。上側傾斜ガイド部材３２は、下側ガイド部材８２と一体に形成されている。これらのガイド部材３２，３３は、記録用紙が通過可能な所定間隔を隔てて互いに対向するように配置されている。上側傾斜ガイド部材３２は，下側傾斜ガイド部材３３よりも上方に配置されている。これらのガイド部材３２，３３は、分岐口３６から下方へ延出されており、より詳細には、後方斜め下向きへ延出されている。
【００３７】
直線路６７Ｂは、図３（Ｂ）で示される案内位置にスライドガイド３４が配置されたときに、そのスライドガイド３４の上面３４Ａによって区画される。直線路６７Ｂは、傾斜路６７Ａの終端付近から後方へ向けて直線状に延びている。スライドガイド３４は、メイントレイ２０の上部で前後方向８にスライド可能に支持されており、上記案内位置から図３（Ａ）で示される退避位置との間で移動する。なお、スライドガイド３４については後述する。
【００３８】
このように搬送路６５及び反転搬送路６７が形成されているため、給送部１５によってメイントレイ２０から給紙された記録用紙は、湾曲路６５Ａを通って、記録部２４へ搬送される。この搬送過程において、記録用紙は、外側ガイド部材１８及び内側ガイド部材１９によって、給送部１５の給紙ローラ２５が当接した面とは反対の面が記録部２４と対向するように反転される。記録部２４を通過した記録用紙は、排紙路６５Ｂを通って排紙保持部７９へ搬送されるか、或いは、経路切換部４１により搬送経路が切り換えられて、反転搬送路６７の傾斜路６７Ａ及び直線路６７Ｂを通って再び記録部２４へ搬送される。なお、経路切換部４１については後述する。
【００３９】
［記録部２４］
図２に示されるように、記録部２４は、給紙カセット７８の上方に配置されている。記録部２４は、図２の紙面垂直方向（主走査方向）に延出されたガイドレール４３，４４（図３参照）に沿って往復動するように構成されている。記録部２４の下方にプラテン４２が設けられている。プラテン４２は、記録部２４によって画像記録が行われる際に、記録用紙を水平に支持するものである。記録部２４は、主走査方向への往復移動過程において、図示しないインクカートリッジから供給されたインクをノズル３９から微小なインク滴としてプラテン４２上を搬送される記録用紙に吐出する。これにより、記録用紙に画像が記録される。
【００４０】
湾曲路６５Ａの終端と記録部２４との間、つまり、湾曲路６５Ａにおける下流側の端部と記録部２４との間には、第１搬送ローラ６０及びピンチローラ６１が設けられている。これらは対をなしている。ピンチローラ６１は、第１搬送ローラ６０の下方に配置されており、図示しないバネなどの弾性部材によって第１搬送ローラ６０のローラ面に圧接されている。第１搬送ローラ６０及びピンチローラ６１は、湾曲路６５Ａを搬送してきた記録用紙を狭持してプラテン４２上へ送る。
【００４１】
また、記録部２４と排紙路６５Ｂの始端との間、つまり、記録部２４と排紙路６５Ｂにおける上流側の端部との間には、第２搬送ローラ６２及び拍車ローラ６３が設けられている。これらは対をなしている。拍車ローラ６３は、第２搬送ローラ６２の上方に配置されており、自重若しくはバネなどによって第２搬送ローラ６２のローラ面に圧接されている。第２搬送ローラ６２及び拍車ローラ６３は、記録済みの記録用紙を狭持してさらに下流側（排紙保持部７９側）へ搬送する。
【００４２】
第１搬送ローラ６０及び第２搬送ローラ６２は、モータ（不図示）から駆動伝達機構（不図示）を介して回転駆動力が伝達されて回転される。この駆動伝達機構は、遊星ギヤなどから構成されており、モータが正回転方向或いは逆回転方向のいずれに回転されても、記録用紙を一方向（図２の右側）へ搬送させるべく、第１搬送ローラ６０及び第２搬送ローラ６２を一回転方向へ回転させる。なお、第１搬送ローラ６０及び第２搬送ローラ６２は、画像記録時に間欠駆動される。そのため、画像用紙は、所定の改行幅で送られながら画像記録がなされる。
【００４３】
［給送部１５］
給送部１５は、給紙カセット７８に収容された記録用紙を湾曲路６５Ａへ向けて搬送するためのものであり、給紙ローラ２５（本発明の給送ローラの一例）と、給紙アーム２６（本発明のアームの一例）と、駆動伝達機構２７とを備えている。給紙ローラ２５は、給紙カセット７８の上側に配置されている。給紙ローラ２５は、給紙カセット７８のメイントレイ２０に収容された記録用紙に当接した状態で回転されることにより、当該記録用紙をピックアップして湾曲路６５Ａへ給紙するものであり、給紙アーム２６の先端に回転自在に軸支されている。給紙ローラ２５は、モータ（不図示）の回転力が駆動伝達機構２７を介して伝達されると回転駆動される。なお、駆動伝達機構２７は、給紙アーム２６に軸支されており、概ね給紙アーム２６の延出方向に沿って直線状に並ぶ複数のギヤで構成されている。
【００４４】
給紙カセット７８の上方に形成された直線路６７Ｂよりも更に上方であって、記録部２４の下方に基軸２８が設けられている。つまり、基軸２８は、直線路６７Ｂと記録部２４との間に設けられている。給紙アーム２６の基端部は基軸２８に支持されている。この給紙アーム２６は、基軸２８を回動中心軸として回動可能である。このため、給紙アーム２６は、メイントレイ２０に対して接離可能に上下動することができる。また、給紙アーム２６は、自重により又はバネ等の弾性部材による弾性力により、図２の矢印２９の方向へ回動付勢されている。このため、給紙ローラ２５は、給紙カセット７８に収容された記録用紙の上面に圧接可能である。給紙アーム２６は、給紙カセット７８がプリンタ部１１に対して挿入される際に、給紙カセット７８の後端部（例えば、分離傾斜板２２）に押圧されることによって、上方へ押し上げられるように構成されている。
【００４５】
［給紙カセット７８］
給紙カセット７８は、給送部１５の下方に設けられている。給紙カセット７８のメイントレイ２０は、プリンタ部１１の底側に配置されている。メイントレイ２０は、Ｌｅｔｔｅｒサイズ（２１６ｍｍ×２７４ｍｍ）、リーガルサイズ（２１６ｍｍ×３５６ｍｍ）、Ａ４サイズ（２１０ｍｍ×２９７ｍｍ）、及びこれらのサイズよりも小さいサイズの記録用紙を収容可能である。本実施形態の複合機１０では、主として、Ａ４サイズ、Ｂ５サイズなどの記録用紙がメイントレイ２０に収容される。
【００４６】
メイントレイ２０は、記録用紙が載置される底板５４と、底板５４の左右方向９の両端部から立設された側板５５と、底板５４の後方側の端部に立設された分離傾斜板２２とを有している。このメイントレイ２０は、上面が開放された概ね矩形箱状に構成されている。分離傾斜板２２は、記録用紙を円滑に給紙可能なように後方側へ傾倒している。分離傾斜板２２の内面２２Ａには図示しない複数の歯が突出している。そのため、仮に複数の記録用紙が重なった状態で給紙されても、分離傾斜板２２の内面２２Ａに記録用紙の先端が当接したときに上記歯によって最上位の記録用紙だけが分離されて湾曲路６５Ａへ給紙される。
【００４７】
給紙カセット７８の前方側の上方に排紙保持部７９が設けられている。排紙保持部７９の上面である保持面７９Ａに、排出された画像記録済みの記録用紙が保持される。排紙保持部７９は、給紙カセット７８と一体に構成されて、給紙カセット７８とともにプリンタ部１１に対して挿抜可能なものであってもよく、或いはプリンタ部１１のフレームなどに固定されたものであってもよい。
【００４８】
［スライドガイド３４］
スライドガイド３４は、メイントレイ２０の上部でスライド可能に支持された板状の部材である。スライドガイド３４は、図３（Ａ）に示される退避位置と、図３（Ｂ）に示される案内位置との間で前後方向８へスライド可能に支持されている。
【００４９】
上記退避位置は、スライドガイド３４の後方側の端部３４Ｂ、つまり給紙ローラ２５によって記録用紙が給送される給送向きの下流側の端部３４Ｂが、給紙ローラ２５よりも前方側（給送向きの上流側）に配置された位置である。この退避位置は、後述する案内位置よりも前方側（給紙向きの逆向き側）へ退避された位置である。スライドガイド３４が退避位置に配置された状態では、仮に反転搬送路６７に記録用紙が搬送されても、直線路６７Ａが形成されないため、記録用紙を湾曲路６５Ａへ搬送できない。なお、この退避位置が本発明の第２姿勢に相当する。
【００５０】
また、上記案内位置は、スライドガイド３４の端部３４Ｂが給紙ローラ２５よりも後方側（給送向きの下流側）に配置された位置である。この位置にスライドガイド３４が配置されることで、後述する第３搬送ローラ４５によってスイッチバック搬送された記録用紙を給紙ローラ２５による給紙向き（後方側）へ案内可能となる。本実施形態では、スライドガイド３４が上記案内位置にあるときに、端部３４Ｂが湾曲路６５Ａに近接する。スライドガイド３４が案内位置に配置された状態で直線路６７Ｂが形成される。したがって、この状態で反転搬送路６７に記録用紙が搬送されると、スライドガイド３４の上面３４Ａによってガイドされながら、記録用紙は湾曲路６５Ａへ搬送可能である。このスライドガイド３４は、上記案内位置に到達すると、その先端部が分離傾斜板２２に当接して支持される。これにより、スライドガイド３４が上記案内位置で安定して支持される。また、給紙ローラ２５がスライドガイド３４上に配置されたときに付与される下方への押圧力に対して十分耐え得る剛性を確保することができる。なお、上記案内位置が本発明の第１姿勢に相当する。
【００５１】
スライドガイド３４は、当該スライドガイド３４の左右方向９の両端部がメイントトレイ２０の側板５６の上端部で支持されることにより、前後方向８へスライド可能なスライド支持機構が実現されている。したがって、スライドガイド３４に前後方向８の力が加えられると、側板５６の上端部でスライドガイド３４が摺動する。これにより、スライドガイド３４が前後方向８へ移動する。
【００５２】
なお、スライドガイド３４の端部３４Ｂの上面には、傾斜ガイド６９が設けられている。傾斜ガイド６９は、端部３４Ｂから後方斜め上向きへ傾斜する傾斜面を有する。スライガイド３４が上記案内位置にあるときに、反転搬送路６７を記録用紙が搬送されると、記録用紙は、傾斜ガイド６９によって、直線路６７Ｂから湾曲路６５Ａへ円滑に案内される。
【００５３】
スライドガイド３４が上記退避位置から上記案内位置までスライドされると、スライドガイド３４の端部３４Ｂが給送部１５の給紙アーム２６を後方へ押圧して、給紙アーム２６を上方へ押し上げる。これにより、図３（Ｂ）に示されるように、給紙ローラ２５は、スライドガイド３４の上面３４Ａに当接するようにスライドガイド３４上に配置される。このときの給紙アーム２６の姿勢が、本発明の第４姿勢に相当する。給紙ローラ２５がスライドガイド３４上に配置された状態で、スライドガイド３４の上面３４Ａにある記録用紙を湾曲路６５Ａへ向けて給紙することが可能となる。スライドガイド３４には、給紙ローラ２５と対向する位置にコロ５８が回転自在に支持されている。コロ５８は、上面３４Ａに露出されている。給紙ローラ２５がスライドガイド３４上に配置された状態で、給紙ローラ２５のローラ面とコロ５８とが接触する。スライドガイド３４の上面３４を通過する記録用紙は、給紙ローラ２５及びコロ５８によって搬送される。このため、記録用紙はスライドガイド３４から大きな摩擦抵抗を受けることなく円滑に搬送される。
【００５４】
スライドガイド３４が上記案内位置から上記退避位置までスライドされると、図３（Ａ）に示されるように、給紙ローラ２５は、スライドガイド３４から下方へ落ちてメイントレイ２０に収容された記録用紙に当接するようにメイントレイ２０上に配置される。このときの給紙アーム２６の姿勢が、本発明の第３姿勢に相当する。この状態で、メイントレイ２０に収容されている記録用紙を湾曲路６５Ａへ向けて給紙することが可能となる。
【００５５】
［経路切換部４１］
次に、図４を参照しながら、経路切換部４１について説明する。経路切換部４１は、排紙路６５Ｂにおける分岐口３６、すなわち排紙路６５Ｂと反転搬送路６７との接続部分付近に配置されている。経路切換部４１は、図４に示されるように、第３搬送ローラ４５（本発明のスイッチバック搬送ローラの一例）と、拍車ローラ４６と、補助ローラ４７及び補助ローラ４８を有するフラップ４９とにより構成されている。
【００５６】
第３搬送ローラ４５は、記録部２４よりも下流側であって、下側ガイド部材８２よりも更に下流側に設けられている。第３搬送ローラ４５と下側ガイド部材８２との間に分岐口３６が形成されている。第３搬送ローラ４５は、プリンタ部１１のフレーム３０（図３参照）に回転可能に軸支された回動軸４５Ａに圧入されており、回動軸４５Ａとともに回転可能である。拍車ローラ４６は、第３搬送ローラ４５の上方に配置されており、自重若しくはバネなどによって第３搬送ローラ４５のローラ面に圧接されている。この拍車ローラ４６は、上側ガイド部材８３の下流側端部に回転可能の支持されている。第３搬送ローラ４５は、駆動源の一例である図示しない搬送用のモータ（以下「搬送用モータ」と称する。）から正逆回転方向の駆動力が伝達ギヤ（不図示）を介して回動軸４５Ａに伝達されることにより、正回転方向又は逆回転方向に回転駆動される。例えば、片面記録が行われる場合は、第３搬送ローラ４５は正回転方向へ回転される。これにより、記録用紙は第３搬送ローラ４５及び拍車ローラ４６に挟持されて下流側へ搬送され、排紙保持部７９に排紙される。一方、両面記録が行われる場合は、第３搬送ローラ４５及び拍車ローラ４６が記録用紙の後端部を挟持した状態で、第３搬送ローラ４５の回転方向が正回転方向から逆回転方向へ切り換えられる。なお、片面記録時及び両面記録時における経路切換部４１及び記録用紙の動作については後述する。
【００５７】
第３搬送ローラ４５及び拍車ローラ４６は、第２搬送ローラ６２及び拍車ローラ６３から送られた記録用紙を狭持するものである。第３搬送ローラ４５及び拍車ローラ４６によるニップ領域（挟持領域）に記録用紙が進入すると、記録用紙は第３搬送ローラ４５及び拍車ローラ４６によって挟持されつつ、第３搬送ローラ４５の回転方向に対応する方向（排紙保持部７９側、又は、傾斜路６７Ａ側）へ搬送される。つまり、第３搬送ローラ４５及び拍車ローラ４６は、記録用紙を排紙路６５Ｂに沿ってさらに下流側（排紙保持部７９側）へ搬送可能であるとともに、記録用紙を反転搬送路６７の傾斜路６７Ａに搬送可能である。
【００５８】
上側ガイド部材８３に、図４の紙面垂直方向（図１の左右方向９）へ延びる支軸８７が設けられている。支軸８７は、分岐口３６よりも上流側に設けられている。フラップ４９は、支軸８７から概ね下流側へ延出されている。フラップ４９における延出端部４９Ｂは、分岐口３６の上方、詳細には、分岐口３６の中央部３６Ａを超えて第３搬送ローラ４５に近接した位置に達している。このフラップ４９は、支軸８７に軸支されている。具体的には、フラップ４９における上流側の基端部４９Ａが支軸８７に回動可能に支持されている。支軸８７は、例えば、上側ガイド部材８３、或いはプリンタ部１１のフレーム３０などに設けることが可能である。
【００５９】
フラップ４９の基端部４９Ａ側には、その延出方向に隔てられた補助ローラ４７及び補助ローラ４８が軸支されている。補助ローラ４７は、フラップ４９の基端部４９Ａ側に軸支されている。補助ローラ４８は、フラップ４９の延出端部４９Ｂに軸支されている。これらの補助ローラ４７，４８のローラ面は、記録用紙の記録面に当接されるので、拍車ローラ６３及び拍車ローラ４６と同様に拍車状に形成されている。
【００６０】
フラップ４９は、下側ガイド部材８２よりも上方に位置する排出姿勢（図４（Ｂ）に示される姿勢）と、延出端部４９Ｂが分岐口３６よりも下方へ進入する反転姿勢（図４（Ａ）に示される姿勢）との間で回動する。なお、本実施形態では、上側ガイド部材８３には、フラップ４９が没入可能な開口８９が形成されており、フラップ４９は、上記排出姿勢にあるときに開口８９に没入して、排紙路６５Ｂから退避する。また、上記反転姿勢にあるときは、フラップ４９は開口８９から露出されて、補助ローラ４８が下側傾斜ガイド部材３３に当接する。また、補助ローラ４７が下側ガイド部材８２の凹部８５に没入されることにより、補助ローラ４７が下側ガイド部材８２の支持面８２Ｂよりも下方に退避する。
【００６１】
［駆動力伝達機構１１０］
次に、図５から図１３を参照しながら、駆動力伝達機構１１０について説明する。本実施形態の駆動力伝達機構１１０は、経路切換部４１の第３搬送ローラ４５による回転動作に同期して駆動されるものであり、第３搬送ローラ４５に駆動力を付与するための搬送用モータ（不図示）から出力される正逆回転方向の駆動力を直線方向の力に変換して、スライドガイド３４に直線方向の駆動力を伝達する役割を果たすものである。この駆動力伝達機構１１０は、互いに直結された複数のギヤのみで構成されている。具体的には、駆動力伝達機構１１０は、プリンタ部１１に設けられたギヤ連結機構１１１（図５参照）と、給紙カセット７８に設けられたラック−ピニオン機構１１２（本発明のラック−ピニオン機構の一例、図６及び図７参照）とにより構成されている。
【００６２】
図５は、給紙カセット７８が給紙可能な位置に配置された状態を示す斜視図である。なお、図５では、記録部２４や経路切換部４１などの図示が省略されている。
【００６３】
図５に示されるように、プリンタ部１１のフレーム３０の左端部にギヤボックス１１７が設けられている。ギヤボックス１１７の上面は完全に開放されている。一方、ギヤボックス１１７の下面の一部には上下方向に貫通する貫通口１１７Ａが形成されおり、他の部分はギヤボックス１１７の底面を形成している。ギヤ連結機構１１１は、ギヤボックス１１７内に回転可能に設けられている。なお、ギヤ連結機構１１１については後述する。
【００６４】
図６は、給紙カセット７８の外観を示す斜視図である。図７は、スライドガイド３４の外観を示す斜視図である。
【００６５】
［ラック−ピニオン機構１１２］
図６及び図７に示されるように、ラック−ピニオン機構１１２は、排紙保持部７９に回転可能に支持された第１ピニオンギヤ１４１及び第２ピニオンギヤ１４２と、スライドガイド３４に設けられた第１ラックギヤ１４６及び第２ラックギヤ１４７とにより構成されている。なお、第１ピニオンギヤ１４１が本発明の第１ピニオンギヤに相当し、第２ピニオンギヤ１４２が本発明の第２ピニオンギヤに相当する。また、第１ラックギヤ１４６が本発明の第１ラックに相当し、第２ラックギヤ１４７が本発明の第２ラックに相当する。
【００６６】
排紙保持部７９の後方端部には、保持面７９Ａよりも上方へ隆起した隆起部１４４が設けられている。この隆起部１４４の左端部に、矩形状の開口１４３が形成されている。開口１４３は、排紙保持部７９を上下方向７に貫通している。この開口１４３の左右方向９の両縁部に支軸１４５が設けられている。支軸１４５は、その軸方向が左右方向９と同方向となるように設けられている。この支軸１４５に、第１ピニオンギヤ１４１及び第２ピニオンギヤ１４２が左右方向９に並んだ状態で回転自在に支持されている。
【００６７】
第１ラックギヤ１４６及び第２ラックギヤ１４７は、スライドガイド３４の上面３４Ａに形成されている。詳細には、図７に示されるように、第１ラックギヤ１４６及び第２ラックギヤ１４７は、スライドガイド３４の左端部において、前後方向８に延びている。第１ラックギヤ１４６及び第２ラックギヤ１４７は、同幅、同長さに形成されている。第１ラックギヤ１４６は、第１ピニオンギヤ１４１に噛合可能な位置に配置されている。また、第２ラックギヤ１４７は、第２ピニオンギヤ１４２に噛合可能な位置に配置されている。
【００６８】
図７に示されるように、第１ラックギヤ１４６及び第２ラックギヤ１４７は、前後方向８にずらされた状態で配置されている。具体的には、第１ラックギヤ１４６は、第２ラックギヤ１４７に対して後方にずらされている。第１ラックギヤ１４６の前方端部よりも前方側に、第１ラックギヤ１４６と同幅の矩形状の第１凹陥部１４８（本発明の第１非噛合部の一例）が形成されている。第１凹陥部１４８の底面は、第１ラックギヤ１４６の歯間にある谷部よりも下方に位置する。したがって、第１ピニオンギヤ１４１が第１凹陥部１４８上に配置された状態では、第１ピニオンギヤ１４１はスライドガイド３４に接触しない。つまり、第１ピニオンギヤ１４１から第１ラックギヤ１４６への駆動伝達が切断される。また、第２ラックギヤ１４７の後方端部よりも後方側に、第２ラックギヤ１４７と同幅の矩形状の第２凹陥部１４９本発明の第２非噛合部の一例）が形成されている。第２凹陥部１４９の底面は、第２ラックギヤ１４７の歯間にある谷部よりも下方に位置する。したがって、第２ピニオンギヤ１４２が第２凹陥部１４９上に配置された状態では、第２ピニオンギヤ１４２はスライドガイド３４に接触しない。つまり、第２ピニオンギヤ１４２から第２ラックギヤ１４７への駆動伝達が切断される。このように構成された第１凹陥部１４８及び第２凹陥部１４９が、本発明の駆動力切断機構に相当する。なお、本実施形態では、駆動切断機構として、第１凹陥部１４８や第２凹陥部１４９のような凹部が採用されるが、各凹陥部に代えて貫通口が採用されてもよい。
【００６９】
［ギヤ連結機構１１１］
図８は、スライドガイド３４が退避位置に配置されたときの給紙カセット７８の平面図である。図９は、スライドガイド３４が案内位置に配置されたときの給紙カセット７８の平面図である。図１０は、図８における要部Xの部分拡大図であり、ギヤ連結機構１１１の構成が詳細に示されている。図１１は、図９における要部XIの部分拡大図であり、ギヤ連結機構１１１の構成が詳細に示されている。図１２は、図１０における各切断線の断面図であり、（Ａ）は切断線XIIA−XIIAの断面図、（Ｂ）は切断線XIIB−XIIBの断面図である。図１３は、図１１における各切断線の断面図であり、（Ａ）は切断線XIIIA−XIIIAの断面図、（Ｂ）は切断線XIIIB−XIIIBの断面図である。各図に示されるように、ギヤ連結機構１１１は、中間伝達ユニット１１１Ａと、遊星ギヤユニット１１１Ｂ（本発明の遊星ギヤ機構の一例）とにより構成されている。
【００７０】
図１０及び図１１に示されるように、中間伝達ユニット１１１Ａは、ギヤボックス１１７の左側に配置されている。中間伝達ユニット１１１Ａは、伝達ギヤ１１９と、第１中間ギヤ１２１と、第２中間ギヤ１２２と、伝達ギヤ１２０とを有する。伝達ギヤ１１９は、第３搬送ローラ４５の回動軸４５Ａに設けられている。第１中間ギヤ１２１は、伝達ギヤ１１９に直接噛合されている（図１２(Ｂ)及び図１３(Ｂ)参照）。伝達ギヤ１２０は、後述する太陽ギヤ１２９を支持する支軸１１８に設けられている。第２中間ギヤ１２２は、伝達ギヤ１２０及び第１中間ギヤ１２１それぞれに噛合されている（図１２及び図１３参照）。駆動源の一例である搬送用モータ（不図示）から正回転方向又は逆回転方向の駆動力が回動軸４５Ａに伝達されると、その回転駆動力が伝達ギヤ１１９から第１中間ギヤ１２１、第２中間ギヤ１２２を経て伝達ギヤ１２０に伝達する。これにより、支軸１１８が第３搬送ローラ４５の回転方向と同じ方向へ回転する。
【００７１】
図１０及び図１１に示されるように、遊星ギヤユニット１１１Ｂは、ギヤボックス１１７の右側に配置されている。遊星ギヤユニット１１１Ｂは、太陽ギヤ１２９（本発明の太陽ギヤの一例）と、キャリア１３０（本発明の遊星キャリアの一例）と、第１遊星ギヤ１３１（本発明の第１遊星ギヤの一例）と、第２遊星ギヤ１３２（本発明の第２遊星ギヤの一例）とを有する。
【００７２】
支軸１１８に太陽ギヤ１２９が設けられている。支軸１１８が回転すると、その回転駆動力が太陽ギヤ１２９に伝達されて、太陽ギヤ１２９が同方向へ回転する。キャリア１３０は、太陽ギヤ１２９の支軸１１８に回動可能に支持されている。第１遊星ギヤ１３１及び第２遊星ギヤ１３２のそれぞれは、太陽ギヤ１２９と噛合しつつキャリア１３０に軸支されている（図１２（Ａ）及び図１３（Ａ）参照）。第１遊星ギヤ１３１及び第２遊星ギヤ１３２は、太陽ギヤ１２９の周りを移動可能なようにキャリア１３０に支持されている。つまり、キャリア１３０が支軸１１８の軸周りに回転すると、第１遊星ギヤ１３１及び第２遊星ギヤ１３２は、太陽ギヤ１２９に噛合した状態でその外周に沿って移動する。第１遊星ギヤ１３１と第２遊星ギヤ１３２は、支軸１１８の軸方向にずらさている。本実施形態では、給紙カセット７８がプリンタ部１１に装着された状態で、第１遊星ギヤ１３１は、第１ピニオンギヤ１４１のみに噛合可能な位置に配置されており、第２遊星ギヤ１３２は、第２ピニオンギヤ１４２のみに噛合可能な位置に配置されている。
【００７３】
第１遊星ギヤ１３１は、正回転方向（記録用紙を排紙保持部７９側へ排出させる方向）の駆動力が太陽ギヤ１２９に伝達されたときに第１ピニオンギヤ１４１側へ移動して、第１ピニオンギヤ１４１と噛合する。この状態で、正回転方向の駆動力が第１遊星ギヤ１３１から第１ピニオンギヤ１４１に伝達されると、スライドガイド３４が上記退避位置（図３（Ａ）参照）側へ向けて移動する。一方、第２遊星ギヤ１３２は、逆回転方向（記録用紙を反転搬送路６７へ搬送させる方向）の駆動力が太陽ギヤ１２９に伝達されたときに第２ピニオンギヤ１４２側へ移動して、に第２ピニオンギヤ１４２と噛合する。この状態で、逆回転方向の駆動力が第２遊星ギヤ１３２から第２ピニオンギヤ１４２に伝達されると、スライドガイド３４が上記案内位置（図３（Ｂ）参照）側へ向けて移動する。
【００７４】
［両面画像記録動作］
以下、図１４から図１７の模式断面図を参照して、プリンタ部１１における両面画像記録動作について説明する。ここに、図１４から図１６は、両面画像記録時における記録用紙Ｓの搬送状態を時系列順に示す模式断面図である。図１７は、スライドガイド３４と第１ピニオンギヤ１４１及び第２ピニオンギヤ１４２との位置関係を示す部分斜視図である。なお、図１４から図１６では、説明の便宜上、本来断面図には現れない駆動伝達機構１１０が実線で示されている。また、図１７では、排紙保持部７９の図示が省略されている。
【００７５】
複合機１０に対して両面画像記録の指示が入力されると、まず、給紙用のモータが駆動され、給紙ローラ２５によってメイントレイ２０から記録用紙Ｓが後方（図１４の紙面左側）へ給紙される。給紙された記録用紙Ｓは、外側ガイド部材１８及び内側ガイド部材１９によって案内されて、湾曲路６５Ａに沿って下方から上方へＵターンするように記録部２４に搬送される。このとき、記録用紙Ｓは、給紙ローラ２５が当接した面とは反対の面（表面）が記録部２４のノズル３９と対向するように反転される。
【００７６】
図１４（Ａ）に示されるように、メイントレイ２０から記録用紙Ｓが給紙される際は、メイントレイ２０から記録用紙がピックアップされて給紙可能なように、スライドガイド３４は退避位置に配置されている。このとき、図１７（Ａ）に示されるように、第１ピニオンギヤ１４１が第１ラックギヤ１４６の後方端部と噛み合っている。また、第２ピニオンギヤ１４２は、第２凹陥部１４９上に配置されている。このとき、第２ピニオンギヤ１４２は、いずれの部材にも接触していないため、仮に第２ピニオンギヤ１４２が回転しても、空転することになる。
【００７７】
記録用紙Ｓが第１搬送ローラ６０及びピンチローラ６１に到達すると、第１搬送ローラ６０及びピンチローラ６１によって記録用紙Ｓが記録部２４とプラテン４２との間に搬送される。そして、記録部２４によってプラテン４２上の記録用紙Ｓに対して画像記録が開始される。記録部２４によって表面に画像が記録された記録用紙Ｓは、第２搬送ローラ６２及び拍車ローラ６３によって排紙路６５Ｂに搬送される。なお、記録用紙Ｓが第１搬送ローラ６０及びピンチローラ６１に到達すると、給紙ローラ２５の回転が停止され、記録用紙Ｓは、第１搬送ローラ６０及びピンチローラ６１によって搬送される。
【００７８】
記録用紙Ｓが排紙路６５Ｂを搬送されて、その進行方向先端がフラップ４９に到達すると、記録用紙Ｓの進行方向先端が補助ローラ４７に衝突する。このとき、フラップ４９は、記録用紙からフラップ４９を上方へ回動させる力を受ける。図１４（Ａ）に示されるように、この力を受けてフラップ４９は、反転姿勢から排出姿勢に姿勢変化する。これにより、下側ガイド部材８２から第３搬送ローラ４５へ続く搬送経路が通じる。その後、記録用紙Ｓの進行方向先端が第３搬送ローラ４５及び拍車ローラ４６に到達すると、第３搬送ローラ４５及び拍車ローラ４６によって排紙保持部７９側へ搬送される。
【００７９】
第３搬送ローラ４５は、図示しない搬送用モータから正回転方向の駆動力を受けて、記録用紙Ｓを排紙保持部７９側へ搬送するように回転駆動される。上記搬送用モータの駆動力は、駆動伝達機構１１０にも供給される。搬送用モータが正回転方向へ回転している場合は、図１４（Ａ）に示されるように、第３搬送ローラ４５の回転駆動力が、伝達ギヤ１１９、中間ギヤ１２１、中間ギヤ１２２、伝達ギヤ１２０（図１０参照）を経て太陽ギヤ１２９に伝達される。そして、太陽ギヤ１２９から第１遊星ギヤ１３１及び第２遊星ギヤ１３２に回転駆動力が伝達される。なお、図１４から図１６には、伝達ギヤ１２０は示されていない。
【００８０】
太陽ギヤ１２９は、図１４（Ａ）に示されるように、反時計回転方向へ回転し、キャリア１３０（図１０参照）も同じ方向、つまり反時計回転方向へ回転する。これにより、第１遊星ギヤ１３１及び第２遊星ギヤ１３２は、太陽ギヤ１２９の外周に沿って、矢印１３４の方向へ移動する。第１遊星ギヤ１３１及び第２遊星ギヤ１３２は、第２遊星ギヤ１３２が第２ピニオンギヤ１４２に当接するまで移動する。第２遊星ギヤ１３２が第２ピニオンギヤ１４２に当接すると、第２遊星ギヤ１３２と第２ピニオンギヤ１４２とが噛み合い、回転駆動力が第２ピニオンギヤ１３２へ伝達される。ただし、図１７（Ａ）に示されるように、スライドガイド３４が退避位置にあるときは、第２ピニオンギヤ１４２が第２凹陥部１４９の上方に配置されている。そのため、第２ピニオンギヤ１４２に回転駆動力が伝達されても、第２ピニオンギヤ１４２は空転し、その回転駆動力はスライドガイド３４に伝達されない。したがって、スライドガイド３４は、退避位置で停止した状態を維持する。
【００８１】
更に記録用紙Ｓが排紙保持部７９側へ搬送されると、排紙路６５Ｂに設けられた図示しないシートセンサによって、排紙路６５Ｂにおける記録用紙Ｓの進行方向後端の位置が検知される。なお、シートセンサは、例えば、排紙路６５Ｂに露出された回転子と、フォトインタラプタ５１とを有し、記録用紙Ｓが通過したときに回転子が回転することによってフォトインタラプタ５１の光路を遮断するような周知の光学センサが採用可能である。
【００８２】
記録用紙Ｓの進行方向後端が下側ガイド部材８２で支持された第１支持状態にある場合、つまり、記録用紙Ｓが、実質的に、下側ガイド部材８２及び第３搬送ローラ４５の両方で支持されている場合は、記録用紙Ｓは、フラップ４９による反転姿勢側への付勢力に耐えて上記第１支持状態を維持する。これにより、フラップ４９の回動姿勢は排出姿勢を維持する。なお、フラップ４９による反転姿勢側への付勢力は、記録用紙Ｓが上記第１支持状態にあるときに記録用紙Ｓから受けるフラップ４９を上方へ押し返す反力よりも小さく設定されている。これにより、上記第１支持状態においてフラップ４９を排出姿勢に維持することが可能となる。また、記録用紙Ｓがフラップ４９によって下方へ押し付けられても大きく撓まされることがない。
【００８３】
記録用紙Ｓの進行方向後端が下側ガイド部材８２を通過し、分岐口３６の中央部３６Ａ付近に到達すると、第３搬送ローラ４５に駆動力を供給していた搬送用モータ（不図示）の回転が図示しない制御部によって停止される。これにより、第３搬送ローラ４５の回転が停止して、記録用紙Ｓの進行方向後端が分岐口３６の中央部３６Ａに位置する第２支持状態で記録用紙Ｓの進行が一時停止する（図１４（Ｂ）参照）。
【００８４】
上記第２支持状態は、記録用紙Ｓの進行方向後端が分岐口３６の中央部３６Ａに位置する状態である。言い換えると、記録用紙Ｓが下側ガイド部材８２で支持されていない状態で、且つ、補助ローラ４８が記録用紙Ｓに当接している状態である。本実施形態では、フラップ４９による第２姿勢側への付勢力は、上記第２支持状態にある記録用紙Ｓから受けるフラップ４９を上方へ押し返す反力よりも大きく設定されている。したがって、記録用紙Ｓが上記第２支持状態にある場合は、記録用紙Ｓがフラップ４９による下方への付勢力に耐えきれなくなり、フラップ４９が第１姿勢から第２姿勢へ回動する（図１５（Ｃ）参照）。このとき、記録用紙Ｓの進行方向後端は、フラップ４９の補助ローラ４８によって下側傾斜ガイド部材３３に押し付けられて、その姿勢を維持する。つまり、フラップ４９の回動姿勢が第２姿勢となり、記録用紙Ｓの進行方向後端（反転搬送路６７へ向けられた端部）が分岐口３６から反転搬送路６７側に進入する。
【００８５】
続いて、搬送用モータが逆回転方向に回転駆動される。すると、搬送用モータからの逆回転方向の駆動力を受けて、記録用紙Ｓの上流側の端部が第３搬送ローラ４５及び拍車ローラ４６に挟持された状態で、第３搬送ローラ４５の回転方向が逆回転する（図１５（Ｄ）参照）。これにより、記録用紙Ｓは、分岐口３６付近でスイッチバックされて、反転搬送路６７に沿って搬送される。つまり、記録用紙Ｓはスイッチバックされることにより、その進行方向が逆転し、反転搬送路６７に沿って記録部２４と給紙カセット７８との間を湾曲路６５側へ搬送される。
【００８６】
上記搬送用モータの駆動力は、駆動伝達機構１１０にも供給される。搬送用モータが逆回転方向へ回転している場合は、図１５（Ｄ）に示されるように、第３搬送ローラ４５の回転駆動力が、伝達ギヤ１１９、中間ギヤ１２１、中間ギヤ１２２、伝達ギヤ１２０（図１０参照）を経て太陽ギヤ１２９に伝達される。そして、太陽ギヤ１２９から第１遊星ギヤ１３１及び第２遊星ギヤ１３２に回転駆動力が伝達される。
【００８７】
太陽ギヤ１２９は、図１５（Ｄ）に示されるように、時計回転方向へ回転し、キャリア１３０（図１０参照）も同じ方向、つまり時計回転方向へ回転する。これにより、第１遊星ギヤ１３１及び第２遊星ギヤ１３２は、太陽ギヤ１２９の外周に沿って、矢印１３５の方向へ移動する。第１遊星ギヤ１３１及び第２遊星ギヤ１３２は、第１遊星ギヤ１３１が第１ピニオンギヤ１４１に当接するまで移動する。第１遊星ギヤ１３１が第１ピニオンギヤ１４１に当接すると、第１遊星ギヤ１３１と第１ピニオンギヤ１４１とが噛み合い、回転駆動力が第１ピニオンギヤ１３１へ伝達される。
【００８８】
図１７（Ａ）に示されるように、スライドガイド３４が退避位置にあるときは、第１ピニオンギヤ１４１は第１ラックギヤ１４６と噛合している。したがって、第１ピニオンギヤ１４１に回転駆動力が伝達されると、その回転駆動力が第１ラックギヤ１４６によって直線運動に変換されて、スライドガイド３４に伝達される。このとき、第１ラックギヤ１４６は、第１ピニオンギヤ１４１から後方へスライドガイド３４を移動させる駆動力が伝達される。この駆動力を受けて、スライドガイド３４が退避位置から案内位置へ向けて移動し始める（図１４（Ｄ）参照）。なお、スライドガイド３４が案内位置へ移動する過程で、第２ピニオンギヤ１４２が第２ラックギヤ１４７と噛み合うが、第２ピニオンギヤ１４２には駆動力が伝達されないので、第２ピニオンギヤ１４２はスライドガイド３４の移動に伴って連れ回る。
【００８９】
スライドガイド３４が案内位置に到達すると、図１７（Ｂ）に示されるように、第１ピニオンギヤ１４１が第１凹陥部１４８の上方に配置される。そのため、第１ピニオンギヤ１４１に回転駆動力が伝達されても、第１ピニオンギヤ１４１は空転し、その回転駆動力はスライドガイド３４に伝達されない。したがって、スライドガイド３４は、案内位置で停止した状態を維持する。
【００９０】
退避位置から案内位置への移動過程において、スライドガイド３４が給紙アーム２６に当接し、更に後方へ移動されると、給紙アーム２６が上方へ押し上げられる。これにより、給紙ローラ２５がスライドガイド３４上に配置される。そして、スライドガイド３４が案内位置に配置されると、図１６（Ｅ）に示されるように、給紙ローラ２５がスライドガイド３４に軸支されたコロ５８に当接する。
【００９１】
スイッチバック後の記録用紙Ｓが給紙ローラ２５に近づくと、制御部は給紙ローラ２５を再駆動させる。給紙ローラ２５が回転すると、それに伴ってコロ５８が従動する。これにより、反転搬送路６７の記録用紙Ｓが給紙ローラ２５及びコロ５８によって挟持されつつ、直線路６７Ｂから湾曲路６５Ａへ向けて再給紙される。そして、記録用紙Ｓが再び記録部２４へ搬送されると、記録部２４によって他方の面に画像が記録される。その後、両面に画像が記録された記録用紙Ｓは、下側ガイド部材８２の支持面８２Ｂで支持されつつ、フラップ４９を第１姿勢に維持させた状態で、再び元の回転方向（正回転方向）へ回転された第３搬送ローラ４５によって排紙保持部７９へ排出される（図１６（Ｆ）参照）。
【００９２】
図示しない搬送用モータから正回転方向の駆動力を受けて第３搬送ローラ４５が回転すると、図１６（Ｆ）に示されるように、第３搬送ローラ４５の回転駆動力が、伝達ギヤ１１９、中間ギヤ１２１、中間ギヤ１２２、伝達ギヤ１２０（図１０参照）を経て太陽ギヤ１２９に伝達される。そして、太陽ギヤ１２９から第１遊星ギヤ１３１及び第２遊星ギヤ１３２に回転駆動力が伝達される。
【００９３】
太陽ギヤ１２９は、図１６（Ｆ）に示されるように、反時計回転方向へ回転し、キャリア１３０（図１０参照）も同じ方向、つまり反時計回転方向へ回転する。これにより、第１遊星ギヤ１３１及び第２遊星ギヤ１３２は、太陽ギヤ１２９の外周に沿って、矢印１３４の方向へ移動する。第１遊星ギヤ１３１及び第２遊星ギヤ１３２は、第２遊星ギヤ１３２が第２ピニオンギヤ１４２に当接するまで移動する。第２遊星ギヤ１３２と第２ピニオンギヤ１４２とが噛合すると、回転駆動力が第２ピニオンギヤ１３２へ伝達される。
【００９４】
図１７（Ｂ）に示されるように、スライドガイド３４が案内位置にあるときは、第２ピニオンギヤ１４２が第２ラックギヤ１４７の前方端部に噛合している。そのため、第２ピニオンギヤ１４２に回転駆動力が伝達されると、その回転駆動力が第２ラックギヤ１４７によって直線運動に変換されて、スライドガイド３４に伝達される。このとき、第２ラックギヤ１４７は、第２ピニオンギヤ１４２から後方へスライドガイド３４を移動させる駆動力が伝達される。この駆動力を受けて、スライドガイド３４が案内位置から退避位置へ向けて移動し始める（図１６（Ｆ）参照）。なお、スライドガイド３４が退避位置へ移動する過程で、第１ピニオンギヤ１４１が第１ラックギヤ１４６と噛み合うが、第１ピニオンギヤ１４１には駆動力が伝達されないので、第１ピニオンギヤ１４１はスライドガイド３４の移動に伴って連れ回る。
【００９５】
そして、スライドガイド３４が退避位置に到達すると、図１７（Ａ）に示されるように、第２ピニオンギヤ１４２が第２凹陥部１４９の上方に配置される。そのため、スライドガイド３４への駆動伝達が途切れて、スライドガイド３４は、退避位置で停止した状態を維持する。
【００９６】
［本実施形態の効果］
上述したように、本実施形態では、第３搬送ローラ４５から複数のギヤ列からなる駆動伝達機構１１０を経てスライドガイド３４に駆動伝達される。そのため、第３搬送ローラ４５の正逆回転方向の駆動に同期してスライドガイド３４が移動する際に、第３搬送ローラ４５からスライドガイド３４に至る伝達ロスを低減することが可能となる。これにより、第３搬送ローラ４５の回転動作に対するガイド部材の応答性を向上させることができる。もちろん、スライドガイド３４をスライドさせるための独立した駆動系を設けることを要しないため、スライドガイド３４の移動機構が簡素化する。
【００９７】
〈第２実施形態〉
以下、図１８から図２０を参照して、本発明の第２実施形態について説明する。ここに、図１８は、第２実施形態に係る給紙カセット１６０の斜視図である。図１９は、給紙カセット１６０の縦断面図である。図２０は、スライドガイド３４の移動過程を時系列順に示す模式断面図である。なお、上述した第１実施形態の各構成と共通する構成については、第１実施形態で使用した符号と同じ番号の符号を付すことにより、その説明を省略する。
【００９８】
本実施形態に係る給紙カセット１６０が上述した第１実施形態の給紙カセット７８と異なるところは、スライドガイド３４のセカンドトレイ１６２が一体に形成されている点と、分離傾斜板２２に支持溝１６７，１６８が形成されている点にある。
【００９９】
図１８及び図１９に示されるように、スライドガイド３４の上面３４Ａの下方にセカンドトレイ１６２が設けられている。図１９に示されるように、セカンドトレイ１６２は、上面３４Ａと平行で且つ水平方向に延びる支持面１６２Ａを有しており、この支持面１６２Ａに記録用紙が支持される。
【０１００】
セカンドトレイ１６２には、最大で葉書サイズ（１００×１４８ｍｍ）の記録用紙が収容可能であり、主として、葉書サイズ、写真Ｌ版サイズの記録用紙（葉書、光沢紙など）が収容される。なお、セカンドトレイ１６２は、葉書サイズ以上の記録用紙、例えばメイントレイ２０と同様にＡ４サイズの記録用紙等を収容可能なものであってもよい。
【０１０１】
セカンドトレイ１６２の後方端部には、突出部１６４，１６５が設けられている。突出部１６４，１６５は、セカンドトレイ１６２の後方端部から後方へ突出している。突出部１６４，１６５は、いずれも、平板状の部材であり、セカンドトレイ１６２の底板の後方端部から後方へ突出している。これらの突出部１６４，１６５は、左右方向９へ隔てられており、左右方向９の中央部を通る中心線を基準に対称に配置されている。
【０１０２】
スライドトレイ３４の上面３４Ａの後方端部には、矩形状の切り欠き１６６が形成されている。切り欠き１６６は、左右方向９の中央部に形成されている。この切り欠き１６６は、少なくとも給紙ローラ２５及び給紙アーム２６が挿通可能なサイズに形成されている。
【０１０３】
分離傾斜板２２には、支持溝１６７，１６８が形成されている。分離傾斜板２２の上端が凹形状に形成されることによって、支持溝１６７，１６８が構成される。支持溝１６７は、スライドガイド３４が退避位置から案内位置へ移動する過程で、突出部１６４が進入可能な寸法及び位置に形成されている。また、支持溝１６８は、スライドガイド３４が退避位置から案内位置へ移動する過程で、突出部１６５が進入可能な寸法及び位置に形成されている。突出部１６４が支持溝１６７に進入すると、突出部１６４の下面が支持溝１６７の奥面１６７Ａで支持される。また、突出部１６５が支持溝１６８に進入すると、突出部１６５の下面が支持溝１６８の奥面１６８Ａで支持される。
【０１０４】
本実施形態のスライドガイド３４は、上記搬送用モータ（不図示）が逆回転方向に回転駆動されて、第３搬送ローラ４５の回転方向が逆回転すると、スライドガイド３４が第１実施形態で説明された退避位置（図２０（Ａ）参照）から案内位置（図２０（Ｃ）参照）へ向かって移動する。この移動過程で、突出部１６４，１６５が支持溝１６７，１６８に進入して支持される。このとき、突出部１６４，１６５が給紙アーム２６に当接する。そして、更に後方へスライドガイド３４が移動されると、給紙アーム２６が上方へ押し上げられて、セカンドトレイ１６２の支持面１６２Ａ上に給紙ローラ２５が配置される（図２０（Ｂ）参照）。つまり、セカンドトレイ１６２上に記録用紙が収容されている場合は、給紙ローラ２５がセカンドトレイ１６２に収容された最上位の記録用紙と当接する位置に配置される。
【０１０５】
本実施形態では、図２０（Ｂ）に示されるように、給紙ローラ３５が支持面１６２Ａ上に配置されて、セカンドトレイ１６２から記録用紙を搬送可能となったときに、上記搬送用モータが停止される。この状態で、給紙ローラ２５が回転されると、セカンドトレイ１６２に収容された記録用紙が湾曲路６５Ａへ向けて給紙される。
【０１０６】
そして、記録用紙が第１搬送ローラ６０及びピンチローラ６１によって搬送され始めると、給紙ローラ３５の回転が停止される。その後、記録用紙が第３搬送ローラ４５に到達するまでに、上記搬送用モータが正回転方向へ回転駆動される。これにより、搬送ローラ４５は、記録用紙を排紙保持部７９側へ搬送可能な方向へ回転する。また、搬送ローラ４５の回転に連動して、スライドガイド３４が退避位置へ向けて移動し始める。スライドガイド３４が退避位置へ移動する過程で、給紙ローラ２５がメイントレイ２０側へ降下する。
【０１０７】
セカンドトレイ１６２から給紙された記録用紙に対して片面記録する場合は、記録部２４を通過した記録用紙は、第３搬送ローラ４５によって排紙保持部７９へ排出される。一方、セカンドトレイ１６２から給紙された記録用紙に対して両面記録する場合は、上述の第１実施形態に記載された要領で、搬送ローラ４５によって記録用紙がスイッチバック搬送されて、再び記録部へ搬送される。このとき、搬送ローラ４５によるスイッチバック搬送時に、スライドガイド３４が退避位置から案内位置へ移動し、その過程で、給紙アーム２６が上方へ押し上げられる。そして、図２０（Ｃ）に示されるように、給紙ローラ２５がセカンドトレイ１６２の支持面１６２を経て切り欠き１６６を通ってスライドガイド３４の上面３４Ａ上に配置される。これにより、スライドガイド３４の上面３４Ａを案内された記録用紙が給紙ローラ２５によって湾曲路６５Ａへ向けて給紙可能となる。
【符号の説明】
【０１０８】
１０・・・複合機
１１・・・プリンタ部
１５・・・給送部
２０・・・メイントレイ
２４・・・記録部
２５・・・給紙ローラ
２６・・・給紙アーム
３４・・・スライドガイド
３４Ａ・・・上面
４５・・・第３搬送ローラ
４７・・・補助ローラ
４８・・・補助ローラ
６５・・・搬送路
６５Ａ・・・湾曲路
６５Ｂ・・・排紙路
６７・・・反転搬送路
６７Ａ・・・傾斜路
６７Ｂ・・・直線路
１１０・・・駆動伝達機構
１１１・・・ギヤ連結機構
１１１Ａ・・・中間伝達ユニット
１１１Ｂ・・・遊星ギヤユニット
１１２・・・ラック−ピニオン機構
１１７・・・ギヤボックス
１１８・・・支軸
１１９，１２０・・・伝達ギヤ
１２１・・・第１中間ギヤ
１２２・・・第２中間ギヤ
１２９・・・太陽ギヤ
１３０・・・キャリア
１３１・・・第１遊星ギヤ
１３２・・・第２遊星ギヤ
１４１・・・第１ピニオンギヤ
１４２・・・第２ピニオンギヤ
１４６・・・第１ラックギヤ
１４７・・・第２ラックギヤ
１４８・・・第１凹陥部
１４９・・・第２凹陥部
１６０・・・給紙カセット
１６２・・・セカンドトレイ
１６４，１６５・・・突出部
１６６・・・切り欠き
１６７，１６８・・・支持溝
【図１】
2010208786.tif 000003
【図２】
2010208786.tif 000004
【図３】
2010208786.tif 000005
【図４】
2010208786.tif 000006
【図５】
2010208786.tif 000007
【図６】
2010208786.tif 000008
【図７】
2010208786.tif 000009
【図８】
2010208786.tif 000010
【図９】
2010208786.tif 000011
【図１０】
2010208786.tif 000012
【図１１】
2010208786.tif 000013
【図１２】
2010208786.tif 000014
【図１３】
2010208786.tif 000015
【図１４】
2010208786.tif 000016
【図１５】
2010208786.tif 000017
【図１６】
2010208786.tif 000018
【図１７】
2010208786.tif 000019
【図１８】
2010208786.tif 000020
【図１９】
2010208786.tif 000021
【図２０】
2010208786.tif 000022